(57)【要約】  本発明は、早産児保育器用の使い捨てカバーに関し、水蒸気透過性の表面層と、好ましくは水蒸気不透過性のバックシートと、を備える。本発明は、使い捨てカバーの使用前の全重量情報を、該使い捨てカバーの表示、該使い捨てカバーにつけられたラベルの表示、または該使い捨てカバーの包装の表示により、世話をする人に伝える。前記使い捨てカバーは、さらに、濡れインジケータを備えることができる。【特許請求の範囲】
【請求項１】
早産児保育器に用いられる使い捨てカバーであって、
使用時に早産児の方を向く、水蒸気透過性の表面層と、
好ましくは水蒸気不透過性のバックシートと、
を備え、前記使い捨てカバーの使用前の全重量情報を、該使い捨てカバーの表示、該使い捨てカバーにつけられたラベルの表示、又は該使い捨てカバーの包装の表示により、世話をする人に伝えることを特徴とする使い捨てカバー。
【請求項２】
前記使い捨てカバーの規定重量に対する許容誤差が、±１ｇ、好ましくは±０．５ｇであることを特徴とする請求項１に記載の使い捨てカバー。
【請求項３】
前記使い捨てカバーの使用前の全重量情報が、前記カバーにプリントされていることを特徴とする請求項１又は２に記載の使い捨てカバー。
【請求項４】
前記使い捨てカバーの使用前の全重量情報が、前記カバーに、型押しされていることを特徴とする請求項１又は２に記載の使い捨てカバー。
【請求項５】
前記使い捨てカバーの使用前の全重量情報は、前記使い捨てカバーに関する表示として、提供されていることを特徴とする請求項１〜４のいずれか一項に記載の使い捨てカバー。
【請求項６】
前記使い捨てカバーの長さが１０ｃｍ〜６０ｃｍであり、幅が５ｃｍ〜４０ｃｍ、
好ましくは、長さが１２ｃｍ〜５０ｃｍであり、幅が６ｃｍ〜３０ｃｍ、
より好ましくは、長さが１５ｃｍ〜４５ｃｍ、幅が７ｃｍ〜２５ｃｍであることを特徴とする請求項１〜５のいずれか一項に記載の使い捨てカバー。
【請求項７】
濡れインジケータを備えたことを特徴とする請求項１〜６のいずれか一項に記載の使い捨てカバー。
【請求項８】
前記濡れインジケータは、濡れると、色が変わる染料を含むことを特徴とする請求項７に記載の使い捨てカバー。
【請求項９】
前記染料は、ｐＨインジケータであることを特徴とする請求項８に記載の使い捨てカバー。
【請求項１０】
尿中に、たんぱく質（アルブミン）、血液、ないし好ましくない細菌が含まれていることを知らせるセンサーを備えることを特徴とする請求項１〜７のいずれか一項に記載の使い捨てカバー。
【請求項１１】
前記カバーは、積層体であり、
該積層体は、有孔プラスチックフィルム又は不織材料からなる表面層と、
好ましくは水蒸気不透過性のバックシートと、
を備えたことを特徴とする請求項１〜１０のいずれか一項に記載の使い捨てカバー。
【請求項１２】
前記使い捨てカバーは、積層体であり、
該積層体は、合成繊維又は有孔プラスチックフィルムからなる表面層と、
好ましくは水蒸気不透過性のバックシートと、
を備えたことを特徴とする請求項１〜１０のいずれか一項に記載の使い捨てカバー。
【発明の詳細な説明】
【技術分野】
【０００１】
本発明は、早産児保育器用の使い捨てカバーに関する。前記使い捨てカバーは、使用時に早産児の方を向く水蒸気透過性シートと、好ましくは水蒸気を実質的に通さないバックシートと、を備える。
【背景技術】
【０００２】
早産児は、満期出産乳児よりも早くに生まれる。早産は、妊娠期間が３７週未満で起きる。満期出産乳児は、母親の最終月経期から数えて、３８週〜４２週で生まれる。早ければ、妊娠期間２２週〜２３週を過ぎて生まれた早産児には、生存可能性がある。しかしながら、これは、稀である。妊娠期間２５週〜２６週を過ぎて生まれた早産児は、生存可能性が非常に高い。妊娠期間２５週〜２６週の間に生まれた早産児の約４４％が生き残る。
【０００３】
満期出産乳児は、生まれた時の標準体重が、約２．５ｋｇ〜５ｋｇである。近年の多大な進歩により、８００グラム以上の早産児の９０％以上が、生存する。体重が５００グラム以上の早産児は、生存可能性が４０％〜５０％であるものの、合併症のリスクが高くなる。
【０００４】
早産児は、満期出産乳児に対するケアとは異なる特別なケアを多く必要とし、このため早産児は、新生児集中治療室に運ばれると、救命できることが多い。新生児集中治療室は、早産児に対するストレスを軽減し、また保温、栄養、適当な成長や発達を保障するための保護、という基本的なニーズを満たす環境を与えるように設計されている。
【０００５】
多くの新生児集中治療処置室において、ナースは、個々のセッションに対して全力を注いでケアをし、一方で、新生児の眠りを妨げないようにしている。新生児に対しては、体温測定、マウスケア、入浴、オムツ又はカバーの交換という、日常的な作業が行われている。敏感な新生児の肌に擦傷をつけないようにするため、新生児にオムツをさせるのでなく、吸水性カバーを保育器の中に敷くこともある。この吸水性カバーは、保育器にフィットするように、大人のケアに用いる大きなカバーを適当なサイズに小さくカットして用いている。赤ちゃんが排尿したかどうかを管理するため、一時間に一回以上という一定の間隔で、前記小さくカットされたカバーを交換する。ナースは、新生児の排尿と排便とを管理するため、オムツないしカバーの重さを、使用前と使用後とに計量する。これは、例えば腎機能、尿路のような基礎代謝が正常に機能しているかどうかを評価するために重要な情報となる。また、これは、次の処置として、ケアをする人が栄養の流入と排尿とを比較し新生児の栄養摂取を評価するための重要な情報となる。新生児がカバーの上に横になっていると、保育器の中を見ただけでは、新生児が排尿をしたかどうかを判断するのは難しいので、カバーを、必要以上の周期で、頻繁に交換してしまうことが多い。これは、小さな新生児にとって、障害の要因が極めて少なく気分が最も良好な必要処置以上の余計な処置となってしまう。新生児集中治療処置室で働く人にとって、カバーのカット、使用前カバーの計量、使用後カバーの計量は、余計な仕事となる。大きなカバーを小さくカットすると、セルロース繊維が入っていることの多いカバーの側端を開口してしまうことになり、小さなセルロース繊維が、保育器の中で散らばり、ほこりの原因となることが多い。
【０００６】
特許文献１は、マットレスカバー、枕カバーのような、１５ｍ２〜０．３ｍ２の表面積を有する寝具用カバーシートを開示している。しかしながら、寝具用カバーシートには、幅が非常に広く、その幅や長さを、保育器に合うサイズに調節する方法に関する表示が全くない。
【０００７】
特許文献２は、オムツに用いられる電気式排泄センサーと、オムツに吸収された排泄量をセンサー出力に基づき求める尿吸収パッドと、を開示している。
【０００８】
特許文献３は、ベッドプロテクター等のような吸収性物質が濡れたことを検知する、磁気弾性フィルム式の検知器を開示している。特許文献４、および特許文献５は、可視的な色の変化により、濡れを知らせるオムツを開示している。特許文献６には、オムツ用の電気式濡れセンサーが記載されている。
【先行技術文献】
【特許文献】
【０００９】
【特許文献１】欧州特許第１１８０３７０号明細書
【特許文献２】特開２００２−２２４０９３号公報
【特許文献３】国際公開第２００４／０２１９４４号パンフレット
【特許文献４】米国特許出願公開第２００５／０２３４４１４号明細書
【特許文献５】米国特許出願公開第２００６／００６９３６２号明細書
【特許文献６】米国特許出願公開第２００５／０１９５０８５号明細書
【発明の開示】
【発明が解決しようとする課題】
【００１０】
早産児の管理分野における前記問題を鑑みると、また従来技術を鑑みると、保育器で使用するのに特に適したカバーが求められており、このカバーは使いやすく、さらには世話をする人の労力を軽減し、また繊細な早産児に対する不要な処置を避けることができる。
【００１１】
本発明は、前記従来技術に鑑みなされたものであり、その目的は、早産児用保育器での使用に特に適した使い捨てカバー、さらには世話をする人の労力を軽減し、使いやすい、使い捨てカバーを提供することにある。
【課題を解決するための手段】
【００１２】
前記課題は、本発明により、つまり前記課題は、早産児用保育器に使用され、使用前の規定全重量を有し、その重量情報を、該使い捨てカバーの表示、該使い捨てカバーにつけられたラベルの表示、該使い捨てカバーの包装の表示により、世話をする人に、知らせる使い捨てカバーにより、解決することができる。
【００１３】
一形態において、前記使い捨てカバーは、許容誤差が、±１グラム、好ましくは±０．５ｇ以内である規定重量を有している。
【００１４】
一実施形態において、前記使い捨てカバーの全重量情報は、前記使い捨てカバーにプリントされている。他の実施形態において、前記使い捨てカバーの全重量情報は、前記使い捨てカバーに型押しされている。さらなる実施形態において、全重量情報は、該使い捨てカバーに関する表示として提供されている。またさらなる実施形態において、前記カバーの全重量情報は、前記使い捨てカバーの包装に、プリント又はマークされている。
【００１５】
さらなる実施形態において、前記使い捨てカバーは、濡れインジケーターを備える。
【００１６】
またさらなる実施形態において、前記使い捨てカバーは、該センサーは、尿中に、たんぱく質（アルブミン）、血液、ないし好ましくない細菌が存在していることを示すセンサーを備える。
【００１７】
一形態において、前記カバーは、有孔プラスチックフィルムまたは不織布材料よりなる表面層と、好ましくは水蒸気不透過性のバックシートと、を備える積層体である。
【００１８】
更なる形態において、前記カバーは、合成繊維または有孔プラスチックフィルムよりなる表面層と、好ましくは水蒸気不透過性のバックシートと、を備えた積層体である。
【００１９】
また更なる実施形態において、前記カバーは、有孔プラスチックフィルム又は不織布材料の表面層と、好ましくは水蒸気不透過性のバックシートと、よりなる積層体である。しかしながら、このカバーは、前記積層体の一部を構成しない他の構成を排除するものでなく、濡れインジケータ等の、任意のセンサーを含む。
【発明を実施するための形態】
【００２０】
本発明によれば、早産児用保育器での使用を意図した、使い捨てカバーを提供し、この使い捨てカバーは、使用中、早産児の方を向く水蒸気透過性シートと、好ましくは水蒸気不透過性のバックシートと、を備える。使用前の使い捨てカバーの計量作業を減らすため、前記使い捨てカバーの使用前の規定全重量を、カバーへの表示、カバーにつけられたラベルへの表示、カバーの包装材への表示により、世話をする人に、伝えることができる。
【００２１】
一形態において、使い捨てカバーは、製造ライン中または製造後に、個々の重さが計られて、規定重量がカバーに又はカバーにつけられたラベルに、プリント又は任意の方法で、マークされている。他の形態において、包装に表示する使い捨てカバー全重量情報が一の全重量情報となるように、前記各カバーは、重量に関して高い精度で、製造されており、これは、包装内の全ての前記使い捨てカバーが、実質的に同じ重さを有することを意味する。また、後述するケースにおいて、カバーに又はカバーにつけられたラベルに、重量情報を表示することも、もちろん可能である。
【００２２】
早産児の排尿は、約２ｍｌ（約２ｇ）〜約０．５ｄｌ（５０ｇ）の範囲であるので、世話をする人が、排尿および排便を正確に評価して乳児の健康状態を分析するためには、重量表示に対する許容誤差が、好ましくは±１．０ｇ、より好ましくは±０．５である。
【００２３】
この正確さは、多くが一定の密度を有するので、予備成形された材料、好ましくは合成繊維を表面層として用いること、またバックシート材料として例えばポリプロピレンフィルム等のプラスチックフィルムを用いることにより得ることができる。また、上記と同じ材料で構成される予備成形された積層体が、一定の密度を有する。
【００２４】
重量を計測した後は、カバーの重量をできるだけ一定に保つため、カバーを個別に、水蒸気不透過性の包装材により、包装することができる。このような水蒸気不透過性の包装材としては、欧州特許出願公開第１２１０２７７号明細書に開示されたものが、一例として挙げられる。
【００２５】
好適な実施形態において、前記使い捨てカバーは、保育器にフィットするように、長さが１０〜６０ｃｍ、幅が５〜４０ｃｍ、好ましくは長さが１２〜５０ｃｍ、幅が６〜３０ｃｍ、より好ましくは長さが１５〜４５ｃｍ、幅が７〜２５ｃｍである。
【００２６】
早産児は、保育器に比較し小さいので、前記カバーを保育器の全体にわたって広げることはあまり重要でなく、排尿ないし排便の時に濡れるであろうエリアをカバーすることが重要である。カバーは小さいほど、交換が容易であり、また例えばカバーの計量時の取り扱いも容易であるので、カバーが保育器の底面全体をカバーしないことが、有利なこともある。
【００２７】
本発明にかかるカバーは、少なくとも水蒸気透過性シートと、好ましくは水蒸気不透過性バックシートと、を含む異なる層で構成された積層体である。
【００２８】
水蒸気透過性を有する表面層としては、一般的な不織材料、例えばスパンボンド法、メルトブローン法、カード法、水流交路法で製造された不織材料を用いることができる。不織材料は、木材パルプ、綿繊維などの天然繊維、ポリエステル、ポリエチレン、プリプロピレン、ビスコースなどの化学繊維、天然繊維と化学繊維との混合物が好ましい。表面層の材料としては、例えば欧州特許出願公開第１０３５８１８号明細書に開示された、接着のパターンにより互いに固着することができるトウ繊維を用いることもできる。表面層材料の例としては、さらに多孔発泡材料、有孔（開口）プラスチックフィルムなどが挙げられる。表面層の材料としては、柔らかく、肌に対する刺激が少なく、体液の透過性に優れたものが好適である。また、表面層は、例えば吸収性のある繊維等の、吸収手段を含むことも好ましい。
【００２９】
バックシートとしては、例えばポリエチレンフィルム又はポリプロピレンフィルム等の、薄いプラスチックフィルム、液体不透過性材料がコートされた不織材料、液体を通さない疎水性不織材料を用いることが好ましい。プラスチックフィルムと不織材料との積層体を用いることも好ましい。バックシートの材料としては、さらに、通気性のあるものも好ましい。
【００３０】
使い捨てカバーは、さらに、吸収層を備え、該吸収層を、前記表面層とバックシートとの間に分散させることが好ましい。カバーは、主に、排尿と排便とを集めて計量するために用いることができるので、本発明の一実施形態にかかるカバーは、有孔プラスチックフィルム又は不織材料よりなる表面層と、好ましくは水蒸気不透過性バックシートと、を備える積層体であるひとつの好ましい実施形態とすることができる。これは、前記カバーが吸収層を含まないことを意味する。
【００３１】
さらなる実施形態において、本発明にかかるカバーは、合成繊維又は有孔プラスチックフィルムよりなる表面層と、好ましくは水蒸気不透過性バックシートと、を備えた積層体であることが好適である。このような積層体は、前記カバーの重量に影響を与える周囲環境中の水蒸気を、実質的に吸収しないという利点を有する。
【００３２】
さらなる実施形態においては、未熟児に対する必要以上の処置を減らすため、使い捨てカバーは、さらに濡れインジケータを備えることができ、このインジケータは、特に尿の色が非常に薄い場合に確認するのが難しい乳児の排尿を知らせる。濡れインジケータは、いずれの表面層側に、使い捨てカバーの、体と接する側から見えるように、設けることができる。濡れインジケータは、色の変化、グラフィックの変化、及び色の変化とグラフィックの変化との組み合わせよりなる群より選択された可視変化を有することができる。
【００３３】
一実施形態において、濡れインジケータは、乾燥状態では無色であるが、湿気及び、特に尿に曝されると、それに限られるわけではないが、例えば緑、青、赤、ピンク、又は他の色などの、人間に見える任意の色に変化する化学物質である。他の実施形態において、別の化学物質として、ドライ状態では一以上の色を呈しているが、濡れると無色又は色が変わるものを用いることもできる。さらに、前記濡れインジケータ又は前記物質としては、好ましくは約ｐＨ８−９でｐＨ変化するものを染み込ませた化学物質、例えばリトマス紙のような濾過紙に吸収されたリトマスのようなｐＨインジケータが例として挙げられる。他の実施形態において、インジケータはカラーグラフィックであり、濡れると、無色に変わるか、グラフィックそのものが変わるか、又はグラフィックの色が変わる。
【００３４】
さらに、他の実施形態において、濡れインジケータは、電気式湿度センサー、電気式濡れ感知センサーである。
【００３５】
また、前記使い捨てカバーは、尿中に、たんぱく質（アルブミン）、血液、好ましくない細菌が存在していることを、簡単な目に見える色の表示により示す、センサーを備えることができる。
【００３６】
このような組み込むことが出来る濡れセンサー又は他のセンサーとしては、従来周知のものや、ここに記載されていない任意のものとすることができる。
【００３７】
早産児が化学物質に触れるのを防ぐため、インジケータは、材料層で被覆されていることができ、尿が、インジケータを備えた層で良好に広がり、目に見える色の変化を呈するように、例えばバックシートと表面層との間に配置された、吸収性に優れた紙に分散される。このような濡れインジケータの色の変化を確認しやすくするため、濡れセンサーを備えた層は、該層のタブが前記カバーから水平方向に突出するように、設けることができる。
【国際調査報告】
2010512942.tif 000002
2010512942.tif 000003
2010512942.tif 000004